(57)【特許請求の範囲】
【請求項１】
温水供給器を補助熱源機に接続するための湯水混合ユニットであって、温水供給器からの温水と給水源からの冷水とを混合した混合水を補助熱源機の入水配管へ供給する通水回路と、上記温水と上記冷水との混合調節を行う混合器と、上記混合器に対する動作指令を行うと共に上記補助熱源機での運転制御を行う給湯コントローラおよび給湯設定温度が設定される給湯リモコンと通信線で接続されて上記温水供給器からの温水温度が上記給湯設定温度以上の場合は上記補助熱源機での追い加熱が不要なため補助熱源機の燃焼動作を阻止する燃焼不要信号を上記給湯コントローラに対して送出するコントローラとを備え、
上記コントローラは、
本湯水混合ユニットから補助熱源機への入水積算量を求める入水量検出手段と、
上記補助熱源機で追い加熱が必要となった第１時点では上記燃焼不要信号を送出しておき、上記入水量検出手段にてこの第１時点から求め始めた入水積算量が一定量に達した第２時点となってから上記燃焼不要信号の送出を停止するようにした通信手段とを備えたことを特徴とする湯水混合ユニット。
【請求項２】
請求項１に記載の湯水混合ユニットにおいて、
上記第１時点は、給湯使用中に温水供給器からの温水温度が低下して給湯リモコンでの給湯設定温度を下回ったため補助熱源機での「追い加熱なし」から「追い加熱あり」の制御に切り替える必要が生じた時点とし、
上記第２時点とするための入水積算量の一定量は、本湯水混合ユニットと補助熱源機との間の入水配管内に溜まる混合水の総量とすることを特徴とする湯水混合ユニット。
【請求項３】
請求項１に記載の湯水混合ユニットにおいて、
上記第１時点は、温水供給器からの温水温度が給湯リモコンでの給湯設定温度よりも低い状態で給湯リモコンの運転スイッチ「ＯＦＦ」時に一定温度による給湯使用中に給湯リモコンの運転スイッチが「ＯＮ」された時点とし、
上記第２時点とするための入水積算量の一定量は、本湯水混合ユニットと補助熱源機との間の入水配管内に溜まる混合水の総量とすることを特徴とする湯水混合ユニット。
【請求項４】
請求項１に記載の湯水混合ユニットにおいて、
上記第１時点は、給湯リモコンの運転スイッチ「ＯＮ」にあって補助熱源機が燃焼動作をしていた状態で運転スイッチ「ＯＦＦ」とされた後、一定時間以内に再び運転スイッチが「ＯＮ」された時点とし、
上記第２時点とするための入水積算量の一定量は、補助熱源機の熱交換器回りの配管内に溜まる混合水の総量とすることを特徴とする湯水混合ユニット。
【請求項５】
請求項１に記載の湯水混合ユニットにおいて、
上記第１時点は、温水供給器の温水温度が給湯リモコンでの給湯設定温度よりも低い場合での給湯使用中に出湯停止された後、一定時間内に再び出湯された時点とし、
上記第２時点とするための入水積算量の一定量は、補助熱源機の熱交換器回りの配管内に溜まる混合水の総量とすることを特徴とする湯水混合ユニット。
【請求項６】
請求項１ないし５のいずれかに記載の湯水混合ユニットにおいて、
上記コントローラは、上記第１時点となると補助熱源機に送り込む混合水が給湯設定温度から補助熱源機での追い加熱分の温度を差引いた追い加熱用温度となるように上記混合器で混合制御する制御構成を有することを特徴とする湯水混合ユニット。
【発明の詳細な説明】
【０００１】
【発明の属する技術分野】
本発明は、例えば、自然エネルギーを利用した太陽熱温水器等や廃熱を利用した温水器等で構成される温水供給器を補助熱源機としての給湯器等に接続するための湯水混合ユニットにあって、補助熱源機での燃焼動作開始直後における出湯温度変動を防止する技術に関する。
【０００２】
【従来の技術】
例えば、太陽熱温水器のソーラ温水を給湯利用するソーラ給湯装置として、図５に示すように、温水供給器となる太陽熱温水器Ｂを湯水混合ユニットＣによって補助熱源機の給湯器Ａに接続した装置であって、上記湯水混合ユニットＣは、その通水回路（５６６〜５６８）内の混合器５６１によって、太陽熱温水器Ｂからソーラ温水路５６６を通ってくるソーラ温水と給水源から冷水路５６７を通ってくる水道水等の冷水とを混合し、この混合水を混合水路５６８から給湯器Ａの入水配管５２１に供給するようにしたものがある。
【０００３】
そして、特開平１０−４７７５２号公報には、上記湯水混合ユニットＣに備えたコントローラ５６０において、給湯器Ａに備えた給湯コントローラ５３０との間で通信機能を保持させ、ソーラ温水路５６６に設けられたソーラサーミスタ５６３からのソーラ温水温度情報と冷水路５６７に設けられた冷水サーミスタ５６４からの冷水温度情報と給湯コントローラ５３０からの給湯リモコン５５０の給湯設定温度情報との入力を受け、混合器５６１での湯水混合比率の演算をして混合器５６１の動作指令を出力する一方、給湯器Ａにおける燃焼運転の要否を給湯コントローラ５３０へ送出する制御構成とする。
【０００４】
従って、この湯水混合ユニットＣは、ソーラ温水温度が給湯リモコン５５０での給湯設定温度以上であれば、給湯器Ａにて追い加熱する必要がないので、この場合、燃焼不要信号を給湯器Ａに送出すると共に混合水が給湯設定温度となるように混合器５６１で湯水混合し（「追い加熱なし」の制御）、逆に、ソーラ温水温度が上記給湯設定温度未満であれば、給湯器Ａにて追い加熱する必要があるので、この場合、燃焼不要信号を送出しないようにすると共に混合水が給湯設定温度から給湯器Ａでの追い加熱分の温度を差引いた追い加熱用温度となるように混合器５６１で湯水混合する（「追い加熱あり」の制御）。このように、湯水混合ユニットＣと給湯器Ａとの間で連携した制御を行うようにして太陽熱温水器Ｂのソーラ温水を有効に利用している。
【０００５】
【発明が解決しようとする課題】
しかしながら、上記従来例では以下の不具合がある。
（イ）給湯使用中に太陽熱温水器Ｂからのソーラ温水温度が低下して給湯リモコン５５０での給湯設定温度を下回った場合、上記コントローラ５６０は、「追い加熱なし」から「追い加熱あり」の制御に切替えられる。すなわち、この切替え時点で湯水混合ユニットＣは給湯器Ａに対して燃焼不要信号を送出しなくなり、給湯器Ａでの燃焼動作が許容される。しかし、上記切替え時点では、湯水混合ユニットＣと給湯器Ａとの間の入水配管５２１内には、「追い加熱なし」の制御のときの給湯設定温度に近い混合水が未だ残っている。そのため、上記切替え時点となって給湯器Ａの熱交換器５１０にて直ちに燃焼動作を開始すると、入水配管５２１内に未だ残っている給湯設定温度近くの混合水は、追い加熱用温度まで下がらないうちに給湯器Ａによって加熱される。従って、給湯使用中にソーラ温水温度が給湯設定温度より低下したためコントローラ５６０が給湯器Ａの燃焼動作を許容すると、給湯器Ａでの燃焼動作開始直後からしばらくの間は、給湯器出口からは給湯設定温度以上の熱い湯が出湯されてしまい、使い勝手が悪い。
【０００６】
（ロ）湯水混合ユニットＣには、給湯リモコン５５０の運転スイッチ「ＯＦＦ」時（給湯器Ａが動作しない状態）でも、ソーラ温水を有効利用するため、混合器５６１で湯水混合を行って一定温度の混合水を湯水混合ユニットＣから給湯器Ａへ供給するものがある。この湯水混合ユニットＣでは、給湯リモコン５５０の運転スイッチ「ＯＦＦ」状態で給湯使用されているときに給湯リモコン５５０の運転スイッチが「ＯＮ」されると、太陽熱温水器Ｂのソーラ温水温度が給湯リモコン５５０での給湯設定温度よりも低かった場合は、コントローラ５６０では、運転スイッチ「ＯＮ」と同時に「追い加熱あり」の制御となる。従って、この場合でも、運転スイッチが「ＯＮ」され給湯器Ａの熱交換器５１０にて直ちに燃焼動作を開始すると、上記（イ）と同じように、入水配管５２１内に未だ残っている上記一定温度近くの温かい混合水が給湯器Ａによって加熱される。従って、給湯リモコン５５０の運転スイッチ「ＯＦＦ」時での給湯使用中に運転スイッチ「ＯＮ」されてコントローラ５６０が給湯器Ａの燃焼動作を許容すると、給湯器Ａでの燃焼動作開始直後からしばらくの間は、給湯器出口からは給湯設定温度以上の熱い湯が出湯されてしまい、使い勝手が悪い。
【０００７】
（ハ）また、上記従来例の制御では、給湯リモコン５５０の運転スイッチ「ＯＮ」にあって給湯器Ａが燃焼動作をしていた状態で運転スイッチ「ＯＦＦ」とされた後、再び運転スイッチが「ＯＮ」されると、ソーラ温水温度や給湯設定温度に変わりない限り、給湯器Ａの燃焼動作が再開されることとなる。しかるに、給湯リモコン５５０の運転スイッチを「ＯＦＦ」にして間もない状態では給湯器Ａの熱交換器５１０回りが未だに高い残熱を持った状態にある。すると、この残熱によって熱交換器５１０回りの配管５２３，５４３内の混合水が加熱されている（後沸き現象）。従って、給湯リモコン５５０の運転スイッチが「ＯＮ」から「ＯＦＦ」され、「ＯＦＦ」後の間もないうちに再び「ＯＮ」されて給湯器Ａが直ちに燃焼動作を再開すると、熱交換器５１０回りの配管５２３，５４３内で後沸きされた湯が更に加熱され、再度の運転スイッチ「ＯＮ」直後からしばらくの間は、給湯器出口からは給湯設定温度以上の熱い湯が出湯されてしまい、使い勝手が悪い。
【０００８】
なお、ソーラ温水温度が給湯設定温度より低い状況下、給湯リモコン５５０の運転スイッチ「ＯＮ」状態にあって、給湯器Ａが燃焼動作する給湯使用中にカラン等を閉めて一旦給湯停止させ、この停止後の間もないうちに再びカラン等を開けて給湯使用する場合も、上述の運転スイッチ「ＯＮ」→「ＯＦＦ」→「ＯＮ」とした場合と同じく、再度の給湯使用直後からしばらくの間は熱い湯が出湯されるおそれがあった。
【０００９】
（ニ）一方、給湯器Ａとして、入水温センサを持たず、燃焼動作状態では入水温度値を出湯温センサ５２２ａ（図５を参照。）が検出する出湯温度から熱交換器５１０でのバーナによる上昇温度を引き算して求め、非燃焼動作状態では出湯温度を入水温度値とみなし、この入水温度値にてバーナ燃焼量を制御し出湯温制御を行うものがある。この給湯器Ａでは、上記（イ）〜（ハ）の状況下、給湯器Ａが燃焼動作開始直後は配管内の温かい混合水による高い出湯温度を検出するため入水温度も高いものと判断しバーナの燃焼量を抑える制御となる。すると、バーナ燃焼量を抑えた頃には、低い温度の混合水が熱交換器５１０に送られ、今度はぬるい湯が出湯されてしまう。従って、このような給湯器Ａに上記従来例の湯水混合ユニットＣを接続すると、給湯器出口からの出湯温制御が非常に不安定となってしまい、使い勝手が非常に悪くなる。
【００１０】
本発明は、上記事情に鑑み、湯水混合ユニットとして、これと接続される給湯器等の補助熱源機での燃焼動作開始直後における出湯温度変動を防止し、使い勝手のよいものを実現することを課題とする。
【００１１】
【課題を解決するための手段】
（１）請求項１の発明による湯水混合ユニットは、
温水供給器を補助熱源機に接続するための湯水混合ユニットであって、温水供給器からの温水と給水源からの冷水とを混合した混合水を補助熱源機の入水配管へ供給する通水回路と、上記温水と上記冷水との混合調節を行う混合器と、上記混合器に対する動作指令を行うと共に上記補助熱源機での運転制御を行う給湯コントローラおよび給湯設定温度が設定される給湯リモコンと通信線で接続されて上記温水供給器からの温水温度が上記給湯設定温度以上の場合は上記補助熱源機での追い加熱が不要なため補助熱源機の燃焼動作を阻止する燃焼不要信号を上記給湯コントローラに対して送出するコントローラとを備え、
上記コントローラは、
本湯水混合ユニットから補助熱源機への入水積算量を求める入水量検出手段と、
上記補助熱源機で追い加熱が必要となった第１時点では上記燃焼不要信号を送出しておき、上記入水量検出手段にてこの第１時点から求め始めた入水積算量が一定量に達した第２時点となってから上記燃焼不要信号の送出を停止するようにした通信手段とを備えたことを特徴とするものである。
【００１２】
これにより、上記通信手段によって上記補助熱源機で追い加熱が必要となった第１時点から上記入水積算量が一定量に達した第２時点までの間は燃焼不要信号が送出される。従って、この第１時点から第２時点の間は、補助熱源機で燃焼動作が開始されることはなく、また、この間に補助熱源機の熱交換器回りの配管内あるいは本湯水混合ユニットと補助熱源機との間の入水配管内に残っていた温かい混合水が給湯出口から取り出される。
【００１３】
そして、上記第２時点となると上記通信手段が上記燃焼不要信号の送出を停止することによって補助熱源機の燃焼動作が許容され、これによって補助熱源機は燃焼動作を開始する。この補助熱源機が燃焼動作を開始するとき上記入水配管内等には温かい混合水は既に抜け切っているので、この燃焼動作開始直後の高温出湯を防止することができ、且つ、上記第１時点から上記第２時点までの間に補助熱源機に供給されてきた混合水を加熱して給湯設定温度の湯にし出湯することとなる。
【００１４】
一方、ソーラ温水温度が給湯設定温度より高かった状態から低くなったとき、補助熱源機の燃焼動作が阻止された状態で、上記入水配管内に残っていた給湯設定温度近くの温かい混合水が給湯出口から出湯されるので、補助熱源機における出湯温度と入水温度とがほぼ等しくなる。従って、本湯水混合ユニットを、入水温センサを持たず非燃焼状態では出湯温度を入水温度とみなして燃焼開始当初の燃焼制御を行うような補助熱源機に接続した場合、ソーラ温水温度が給湯設定温度より高かった状態から低くなったときでも、補助熱源機での燃焼制御をスムーズに行うことができる。
【００１５】
（２）請求項２の発明による湯水混合ユニットは、上記湯水混合ユニット（請求項１）において、
上記第１時点は、給湯使用中に温水供給器からの温水温度が低下して給湯リモコンでの給湯設定温度を下回ったため補助熱源機での「追い加熱なし」から「追い加熱あり」の制御に切り替える必要が生じた時点とし、
上記第２時点とするための入水積算量の一定量は、本湯水混合ユニットと補助熱源機との間の入水配管内に溜まる混合水の総量とすることを特徴とするものである。
これにより、給湯使用中に温水供給器からの温水温度が低下して給湯リモコンでの給湯設定温度を下回ったため補助熱源機での「追い加熱なし」から「追い加熱あり」の制御に切替えの必要が生じても、本湯水混合ユニットと補助熱源機との間の入水配管内に残っていた給湯設定温度近くの温かい混合水が給湯出口から出し切られないうちは、給湯コントローラに対して燃焼不要信号が送出され、補助熱源機で燃焼動作が開始されることがない。
【００１６】
（３）請求項３の発明による湯水混合ユニットは、上記湯水混合ユニット（請求項１）において、
上記第１時点は、温水供給器からの温水温度が給湯リモコンでの給湯設定温度よりも低い状態で給湯リモコンの運転スイッチ「ＯＦＦ」時に一定温度による給湯使用中に給湯リモコンの運転スイッチが「ＯＮ」された時点とし、
上記第２時点とするための入水積算量の一定量は、本湯水混合ユニットと補助熱源機との間の入水配管内に溜まる混合水の総量とすることを特徴とするものである。
これにより、給湯リモコンの運転スイッチ「ＯＦＦ」時の一定温度による給湯使用中に給湯リモコンの運転スイッチが「ＯＮ」されても、本湯水混合ユニットと補助熱源機との間の入水配管内に残っていた上記一定温度近くの温かい混合水が給湯出口から出し切られないうちは、給湯コントローラに対して燃焼不要信号が送出され、補助熱源機で燃焼動作が開始されることがない。
【００１７】
（４）請求項４の発明による湯水混合ユニットは、上記湯水混合ユニット（請求項１）において、
上記第１時点は、給湯リモコンの運転スイッチ「ＯＮ」にあって補助熱源機が燃焼動作をしていた状態で運転スイッチ「ＯＦＦ」とされた後、一定時間以内に再び運転スイッチが「ＯＮ」された時点とし、
上記第２時点とするための入水積算量の一定量は、補助熱源機の熱交換器回り配管内に溜まる混合水の総量とすることを特徴とするものである。
これにより、給湯リモコンの運転スイッチ「ＯＮ」にあって温水供給器の温水温度が給湯リモコンでの給湯設定温度よりも低いため補助熱源機が燃焼動作をしていた状態で運転スイッチ「ＯＦＦ」とされた後、一定時間以内に再び運転スイッチが「ＯＮ」されても、補助熱源機の熱交換器回り配管内に残っていた混合水が給湯出口から出て行かないうちは、給湯コントローラに燃焼不要信号が送出され、補助熱源機で燃焼動作が開始されることがない。
【００１８】
（５）請求項５の発明による湯水混合ユニットは、上記湯水混合ユニット（請求項１）において、
上記第１時点は、温水供給器の温水温度が給湯リモコンでの給湯設定温度よりも低い場合での給湯使用中に出湯停止された後、一定時間内に再び出湯された時点とし、
上記第２時点とするための入水積算量の一定量は、補助熱源機の熱交換器回りの配管内に溜まる混合水の総量とすることを特徴とするものである。
【００１９】
これにより、温水供給器の温水温度が給湯リモコンでの給湯設定温度よりも低いため補助熱源機が燃焼動作した給湯使用中に、一旦出湯停止された後、一定時間以内に再び出湯されたときには、補助熱源機の熱交換器回り配管内に残っていた温かい混合水が給湯出口から出し切られないうちは、給湯コントローラに対して燃焼不要信号が送出されて補助熱源機で燃焼動作が開始されることがない。
【００２０】
（６）請求項６の発明による湯水混合ユニットは、上記湯水混合ユニット（請求項１ないし５）において、
上記コントローラは、上記第１時点となると補助熱源機に送り込む混合水が給湯設定温度から補助熱源機での追い加熱分の温度を差引いた追い加熱用温度となるように上記混合器で混合制御する制御構成を有することを特徴とするものである。
これにより、上記第１時点から補助熱源機に追い加熱用温度となった混合水が給水される。そして、第２時点となって補助熱源機が燃焼動作を開始するときには、この追い加熱用温度にある混合水が加熱されることとなり、素早く給湯設定温度の湯となって給湯出口から出湯される。
【００２１】
【発明の効果】
以上のように、請求項１に係る発明の湯水混合ユニットによれば、上記補助熱源機で追い加熱が必要となった第１時点でも燃焼不要信号を送出しておき、入水配管等に未だ残っていた温かい混合水を出し切った第２時点で燃焼要不要信号の送出を停止して補助熱源機の燃焼動作が開始されるので、この燃焼動作開始直後に高温出湯となることもなく給湯設定温度どおりの湯が安定して取り出せ、安全かつ使い勝手のよいものが実現される。
【００２２】
また、本湯水混合ユニットを、入水温センサを持たず非燃焼状態では出湯温度を入水温度とみなして燃焼開始当初の燃焼制御を行うような補助熱源機に接続した場合、ソーラ温水温度が給湯設定温度より高かった状態から低くなったときでも、補助熱源機での燃焼制御をスムーズに行うことができ、安定した給湯動作を実現できる。
【００２３】
請求項２に係る発明の湯水混合ユニットによれば、給湯使用中に温水供給器からの温水温度が低下して給湯リモコンでの給湯設定温度を下回ったため補助熱源機での「追い加熱なし」から「追い加熱あり」の制御に切り替わったときでも、高温出湯となることもなく給湯設定温度どおりの湯が安定して取り出せ、安全かつ使い勝手のよいものが実現される。
【００２４】
請求項３に係る発明の湯水混合ユニットによれば、給湯リモコンの運転スイッチ「ＯＦＦ」時で一定温度での給湯使用中に、給湯リモコンの運転スイッチが「ＯＮ」されたときでも、高温出湯となることもなく給湯設定温度どおりの湯が安定して取り出せ、安全かつ使い勝手のよいものが実現される。
【００２５】
請求項４に係る発明の湯水混合ユニットによれば、給湯リモコンの運転スイッチ「ＯＮ」にあって補助熱源機が燃焼動作をしていた状態で運転スイッチ「ＯＦＦ」とされた後、一定時間以内に再び運転スイッチが「ＯＮ」されたときでも、後沸きによる高温出湯となることもなく給湯設定温度どおりの湯が安定して取り出せ、安全かつ使い勝手のよいものが実現される。
【００２６】
請求項５に係る発明の湯水混合ユニットによれば、給湯使用中に一旦出湯停止された後、一定時間以内に再び出湯されたときでも、後沸きによる高温出湯となることもなく給湯設定温度どおりの湯が安定して取り出せ、安全かつ使い勝手のよいものが実現される。
【００２７】
請求項６に係る発明の湯水混合ユニットによれば、第２時点になると補助熱源機での燃焼動作開始によって素早く給湯設定温度の湯が給湯出口から取り出せ、使い勝手がよい。
【００２８】
【発明の実施の形態】
以下の実施の形態では、温水供給器として太陽熱温水器を、本発明の湯水混合ユニットによって補助熱源機としての給湯器に接続したソーラ給湯システムを例に挙げて説明する。
【００２９】
＜実施の形態１＞
図１は、ソーラ給湯システムの全体構成図を示す。まず、図１を参照して、このソーラ給湯システムの各部の構成から説明する。
（太陽熱温水器）
太陽熱温水器５は、既知の種々のものを使用できるが、図１に示すものでは、太陽熱を吸収する集熱器５０から引出された循環路５２を貯湯タンク５１内に導き、図示しないポンプによって循環路５２内の液状媒体を循環させ、貯湯タンク５１底部に取付けたソーラ用給水路５５を通じて貯湯タンク５１内に供給される冷水を熱交換加熱してソーラ温水とし、このソーラ温水を貯湯タンク５１頂部に取付けたソーラ温水配管５６を通じて上層の一番温かいところから順次取り出すようにするものである。
【００３０】
（給湯器）
給湯器７は、既知の種々のものを使用できるが、図１に示すものでは、本体７０内には、バーナ等を有する熱交換器７３とこの給湯器７を運転制御する給湯コントローラ７２とを備え、また、本体７０外に、各種操作部等（運転スイッチ、湯温設定器、浴槽の湯張りスイッチ・追焚スイッチ、燃焼表示部等）を有する給湯リモコン７１が上記給湯コントローラ７２と信号線７８で接続されて取付けられたものである。上記熱交換器７３回りには給湯用配管７００と風呂用配管８００とを備え、給湯用配管７００には上記湯水混合ユニット１に接続させる入水配管７６と末端に蛇口８５を有する出湯配管８４とが接続され、風呂用配管８００には浴槽８１へと導かれる往き管８２と戻り管８３とが接続されている。また、出湯配管８４と往き管８２との間には落とし込み開閉弁７５を有した風呂落とし込み路７４が設けられ、この風呂落とし込み路７４と往き管８２との接続点に三方弁８０が設けられている。
【００３１】
なお、入水配管７６、出湯配管８４、往き管８２および戻り管８３には、温度センサが設けられていてもよく、また、入水配管７６および往き管８２には、ポンプ、水量センサが設けられていてもよい。但し、この給湯器７として、入水配管７６には入水温センサを持たず、バーナの燃焼状態では入水温度値を出湯配管８４に設けた出湯温センサが検出する出湯温度から熱交換器７３でのバーナによる上昇温度を引き算して求め、バーナ非燃焼状態では出湯温度を入水温度値とみなし、この入水温度値にてバーナ燃焼量を制御し出湯温制御を行うものでもよい。
【００３２】
（湯水混合ユニット）
上記湯水混合ユニット１は、太陽熱温水器５のソーラ温水と給水源の水道水等の冷水とを混合して混合水とし、この混合水を給湯器７の入水配管７６に送り込む装置であり、その主な構成としては、ソーラ温水、冷水および混合水が通される通水回路２と、ソーラ温水と冷水との混合調節をする混合器３と、本湯水混合ユニット１を運転制御するコントローラ１１とを備える。
【００３３】
上記通水回路２は、上記太陽熱温水器５のソーラ温水配管５６と接続されてソーラ温水が通されるソーラ温水路１４と、給水源の給水路６０の減圧弁６１下流から分岐された給水配管１０と接続されて水道水等の冷水が通される冷水路１５と、上記ソーラ温水路１４および上記冷水路１５が合流されると共に上記給湯器７の入水配管７６と接続されてソーラ温水と冷水とを混合した混合水が通される混合水路２９とを有する。
【００３４】
そして、ソーラ温水路１４にはソーラ温水路１４内を流れるソーラ温水の温度を検出するソーラ温水温センサ１９が配設され、冷水路１５には冷水路１５内を流れる冷水の温度を検出する冷水温センサ２３が配設され、また、混合水路２９には混合水路２９内を流れる混合水の通水を検出する水量センサ３２や混合水路２９内を流れる混合水の温度を検出する混合水温度センサ３３およびハイカットサーミスタ３４が配設されている。
【００３５】
また、上記通水回路２には上記混合器３を迂回させて冷水路１４と混合水路２９とを結ぶバイパス通路２８が取付けられ、このバイパス通路２８には冷水路１５からの冷水を直接混合水路２９に供給、供給停止させるバイパス開閉弁３１が配設されている。このバイパス開閉弁３１は、例えばソレノイドによって駆動される電磁弁が採用され、ソレノイドへの電圧供給が停止されると開弁する常開式のものである。
【００３６】
上記混合器３は、図１に示す例では、混合水路２９における、冷水路１５との接続点に設けた冷水混合弁２４およびソーラ温水路１４との接続点に設けたソーラ温水混合弁２５からなる２軸式のものが採用され、この混合器３によるソーラ温水と冷水との混合調節によって所望温度の混合水が得られる。
【００３７】
上記コントローラ１１は、湯水混合ユニット１の運転制御を行う他に、上記給湯器７の給湯リモコン７１や給湯コントローラ７２と通信線７７，７８で接続されて通信機能を保持する。このコントローラ１１の主な構成としては、通信部１１１、混合器制御部１１２、バイパス開閉弁制御部１１３、追い加熱用温度演算部１１４、温水温監視部１１５、入水量検出部１１６、運転スイッチ監視部１１７等を有する。
【００３８】
上記通信部１１１は、給湯リモコン７１や給湯コントローラ７２との間で各種情報の送受信を行うものであり、例えば、ソーラ温水温度が給湯リモコン７１での給湯設定温度以上のときは給湯コントローラ７２に対して燃焼不要信号を送出し、給湯器７での燃焼動作を阻止するようにし、また、ソーラ温水温度が上記給湯設定温度未満のときは上記燃焼不要信号は送出せず、給湯器７での燃焼動作を許容するようにする。また、この通信部１１１は、給湯リモコン７１や給湯コントローラ７２から得た情報をコントローラ１１の各部１１２〜１１７に伝える。
【００３９】
上記混合器制御部１１２は、混合器３の冷水混合弁２４およびソーラ温水混合弁２５の弁動作制御を行うものであり、例えば、ソーラ温水温度が上記給湯設定温度以上のときは混合水温度センサ３２での検出値を監視しながら混合水が上記給湯設定温度となるように冷水混合弁２４およびソーラ温水混合弁２５の弁動作制御を行い、また、ソーラ温水温度が上記給湯設定温度未満のときは混合水温度センサ３２での検出値を監視しながら混合水が追い加熱用温度となるように冷水混合弁２４およびソーラ温水混合弁２５の弁動作制御を行う。なお、上記追い加熱用温度とは、給湯リモコン７１での給湯設定温度から給湯器７の燃焼動作による追い加熱分の温度を差引いた温度をいう。
【００４０】
また、混合器制御部１１２は、上記ハイカットサーミスタ３４が限界温度（例えば、６０℃）を超える混合水温度を検出すると、強制的にソーラ温水混合弁２５を全閉にする制御を行い、ソーラ温水の供給を停止させて限界温度を超える高温の混合水が給湯器７側に供給されないようにする。
【００４１】
上記バイパス開閉弁制御部１１３は、バイパス通路２８におけるバイパス開閉弁３１の開閉制御を行うものであり、例えば、水量センサ３２が混合水路２９内の通水を検出しない間はバイパス開閉弁３１を開弁させ、上記通水を検出するとバイパス開閉弁３１を閉弁させるようにし、また、上記通水が検出されてバイパス開閉弁３１を閉弁させていても停電や上記ハイカットサーミスタ３４が限界温度（例えば、６０℃）を超える混合水温度を検出する等の異常時にはバイパス開閉弁３１を開弁させるように制御する。
【００４２】
上記追い加熱用温度演算部１１４は、ソーラ温水温度が上記給湯設定温度未満のときはその給湯設定温度から給湯器７の燃焼動作による追い加熱分の温度を差引いた追い加熱用温度を演算するものであり、具体的には、給湯器７での燃焼動作（バーナ燃焼）による発熱量Ｗを、水量センサ３２または給湯コントローラ７２からの水量信号から判断される混合水の水量Ｑで割算して上記水量Ｑの混合水を加熱昇温できる上昇温度ΔＴを求め（上昇温度ΔＴ＝発熱量Ｗ／水量Ｑ）、この上昇温度ΔＴを給湯リモコン７１での給湯設定温度Ｓから減算して追い加熱用温度ＭＴを得る（追い加熱用温度ＭＴ＝給湯設定温度Ｓ−上昇温度ΔＴ）。なお、給湯器７での発熱量Ｗは、バーナの最小発熱量あるいは最小発熱量より高い規定発熱量など適宜決定できる。そして、この追い加熱用温度演算部１１４は、ここで求めた追い加熱用温度ＭＴを上記混合器制御部１１２に伝える。
【００４３】
上記温水温監視部１１５は、ソーラ温水温センサ１９でのソーラ温水温度と給湯リモコン７１での給湯設定温度とを比較してソーラ温水温度が給湯設定温度以上であるか否かを監視すると共に、その監視結果を上記混合器制御部１１２、上記追い加熱用温度演算部１１４および上記入水量検出部１１６等に伝える。
【００４４】
上記入水量検出部１１６は、水量センサ３２または給湯コントローラ７２からの水量情報に基づいて混合水路２９から給湯器７の入水配管７６に送り込まれる混合水の入水積算量を算出するものであり、具体的には、給湯器７で燃焼動作が必要（上記通信部１１１から給湯コントローラ７２に対して燃焼不要信号を送出不要なとき）となった第１時点から混合水の入水積算量を算出し、この入水積算量が一定量に達した第２時点になったことを上記通信部１１１および上記混合器制御部１１２に伝える。なお、上記第２時点を見極める入水積算量の一定量は、本湯水混合ユニット１と給湯器７との間の入水配管７６内に溜まる混合水の総量を目安とし、後述の動作例では上記一定量として１リットルとするが、これは、入水配管の長さや管径等より適宜決定できる。
【００４５】
上記運転スイッチ監視部１１７は、信号線７７を通じて給湯リモコン７１の動作を傍受して給湯リモコン７１における運転スイッチの「ＯＮ」または「ＯＦＦ」を監視するものであり、運転スイッチが「ＯＮ」状態か、「ＯＦＦ」状態か、運転スイッチが「ＯＦＦ」状態から「ＯＮ」されたか、逆に「ＯＮ」状態から「ＯＦＦ」されたか等の情報を、このコントローラ１１の上記各部１１１〜１１６に伝える。
なお、図１中、１１８は計時監視部を示しているが、これは後述する実施の形態３において存在するものとする。
【００４６】
（湯水混合ユニットの動作）
次に上記実施の形態１による湯水混合ユニット１の動作を説明する。図２は、この湯水混合ユニット１におけるコントローラ１１での制御フローを示したフローチャートである。
図２を参照して、運転スイッチ監視部１１７にて給湯リモコン７１の運転スイッチ「ＯＮ」が認識されると（ステップＳ１０１）、混合器制御部１１２は、混合器３のソーラ温水混合弁２５および冷水混合弁２４を待機位置に保持させ（ステップＳ１０２）、水量センサ３２または給湯コントローラ７２からの水量情報によって混合水路２９内に通水があるか否かを監視する（ステップＳ１０３）。
【００４７】
そして、上記通水が検出されると、ステップＳ１０４において、温水温監視部１１５は、ソーラ温水温センサ１４で検出されるソーラ温水温度と給湯リモコン７１での給湯設定温度とを比較する。このとき温水温監視部１１５にてソーラ温水温度が給湯設定温度より高いと認識した場合は、ステップＳ１０５において、これを受けて、混合器制御部１１２は混合水温度が給湯設定温度となるように混合器３のソーラ温水混合弁２５と冷水混合弁２４とによる湯水の混合制御を行うと同時に、通信部１１１は給湯コントローラ７２に対して燃焼不要信号を送出する。すなわち、ソーラ温水温度が給湯設定温度より高い場合、混合器３でのソーラ温水と冷水とのミキシング制御によって給湯設定温度の混合水を湯水混合ユニット１から給湯器７に送るようにし、上記燃焼不要信号によって給湯器７での燃焼動作を阻止する。これによって、給湯器７で燃焼動作させることなく給湯設定温度の湯が給湯器７の蛇口８５等から出湯される。
【００４８】
なお、上記ステップＳ１０５での混合制御は、水量センサ３２等にて混合水路２９内の通水が検出されなくなるまで実行されるが（ステップＳ１０７）、この間、ステップＳ１０６において、上記温水温監視部１１５によってソーラ温水温度が給湯設定温度より低くなっていなか監視されている。そして、上記ステップＳ１０６において、温水温監視部１１５にてソーラ温水温度が給湯設定温度より低くなったことを検出した第１時点となると、入水量検出部１１６は、混合水路２９内を流れる入水量の積算を開始し（ステップＳ１０８）、この入水積算量が１リットルに達したか否か監視する（ステップＳ１０９）。
【００４９】
上記入水量検出部１１６で検出する入水積算量が１リットルに達する第２時点までは（ステップＳ１０９でＹＥＳとなったとき。）、ステップＳ１１０において、混合器制御部１１２は混合水温度が給湯設定温度から給湯器７での追い加熱よる上昇温度分を差引いた追い加熱用温度となるように混合器３のソーラ温水混合弁２５と冷水混合弁２４とによる湯水の混合制御を行うと同時に、通信部１１１は給湯コントローラ７２に対して燃焼不要信号を送出し、給湯器７での燃焼動作を阻止し続ける。従って、ソーラ温水温度が給湯設定温度より高かった状態から給湯設定温度より低くなった第１時点（ステップＳ１０４でＹｅｓとなった時点）となり、この第１時点から上記入水量検出部１１６にて入水積算量が１リットルに達したことを検出する第２時点（ステップＳ１０９でＹｅｓとなった時点）までの間は、給湯器７で燃焼動作が開始されることがなく、この間に湯水混合ユニット１と給湯器７との間の入水配管７６内に残っていた給湯設定温度（上記ステップＳ１０５での混合制御にて得られた混合水温度）近くの混合水が給湯器７の蛇口８５等から取り出される。また、上記第１時点から上記第２時点までの間は、上記混合器制御部１１２による混合器３の混合制御によって給湯リモコン７１での給湯設定温度よりも低い追い加熱用温度の混合水が給湯器７側へ送り込まれるので（ステップＳ１１０）、この間に熱い湯が出湯されることもなく安全性が確実に確保されている。なお、上記ステップＳ１１０での混合制御の間に水量センサ３２等によって混合水路２９内の通水なしが検出されると（ステップＳ１１１）、この制御は終了する。
【００５０】
そして、上記ステップＳ１０９において入水量検出部１１６が検出する入水積算量として１リットルに達した第２時点となると、ステップＳ１１２において、混合器制御部１１２は混合水温度が上記追い加熱用温度となる上記ステップＳ１１０での混合器３に対する混合制御を継続させると同時に、通信部１１１はこの第２時点の検出によってステップＳ１１０で給湯コントローラ７２に対して送出していた燃焼不要信号の送出を停止させる。この燃焼不要信号の送出停止によって給湯器７での燃焼動作が許容される。これによって、給湯器７は燃焼動作を開始して上記追い加熱用温度に湯水混合されていた混合水を加熱し、給湯設定温度の湯にして給湯器７の蛇口８５等から出湯される。従って、この給湯器７での燃焼動作開始直後に高温出湯となることもなく、給湯設定温度どおりの湯が安定して出湯される。
【００５１】
これ以降は、ステップＳ１１４において、上記温水温監視部１１５によってソーラ温水温度と給湯設定温度との高低が監視され、ソーラ温水温度が給湯設定温度より低いと認識されている間は、上記ステップＳ１１２の制御が実行し続けられ、ソーラ温水温度が給湯設定温度より高いと認識されると、ここでの制御が上記ステップＳ１０５へ移行される（図２中のＡ）。そして、上記ステップＳ１１２での混合制御の間に水量センサ３２等によって混合水路２９内の通水なしが検出されると（ステップＳ１１３）、この制御は終了する。
【００５２】
以上のように、実施の形態１によると、ソーラ温水温度が給湯設定温度より高かった状態から低くなって「追い加熱なし」から「追い加熱あり」の制御に切り替わった第１時点のとき（ステップＳ１０６でＹｅｓのとき。）、入水配管７６に未だ残っていた給湯設定温度近くの混合水を出し切った第２時点（ステップＳ１０９でＹｅｓのとき。）で給湯器７の燃焼動作が開始されるので、この燃焼動作開始直後に高温出湯となることもなく給湯設定温度どおりの湯が安定して取り出せ、安全かつ使い勝手のよいものが実現される。
【００５３】
また、ソーラ温水温度が給湯設定温度より高かった状態から低くなったとき、給湯器７の燃焼動作が阻止された状態で、上記入水配管７６内に残っていた給湯設定温度に近い混合水が蛇口８５等から出湯されるので、給湯器７における出湯配管８４での出湯温度と入水配管７６での入水温度とがほぼ等しくなる。従って、本湯水混合ユニット１を、例えば、入水温センサを持たず非燃焼状態では出湯温度を入水温度値とみなして燃焼開始当初の燃焼制御を行うような給湯器７に接続した場合でも、ソーラ温水温度が給湯設定温度より高かった状態から低くなって燃焼動作開始時点（第２時点）では、ほぼ正確な入水温度値を得ることができるので、このような給湯器７での燃焼制御をスムーズに行うことができ、安定した給湯動作を実現できる。
【００５４】
＜実施の形態２＞
実施の形態２は、上記給湯リモコン７１の運転スイッチ「ＯＦＦ」時（給湯器７が動作しない状態）でも、太陽熱温水器５でのソーラ温水を有効利用するため、混合器３で湯水混合を行って一定温度の混合水を湯水混合ユニット１から給湯器７へ供給するようにした湯水混合ユニット１において、給湯リモコン７１の運転スイッチ「ＯＦＦ」時に上記一定温度での給湯使用中に運転スイッチが「ＯＮ」されたときでも、高温出湯されないようにしたものである。
【００５５】
この湯水混合ユニット１は、上記実施の形態１とほぼ同様に構成されるが、給湯リモコン７１の運転スイッチ「ＯＦＦ」時は、コントローラ１１での混合器制御部１１２によって混合水が上記運転スイッチ「ＯＦＦ」時における一定温度となるように混合器３のソーラ温水混合弁２５および冷水混合弁２４を制御する。なお、この運転スイッチ「ＯＦＦ」時における上記一定温度は、例えば、３０℃のように固定温度でもよいし、あるいは、湯水混合ユニット１におけるディップスイッチ（図示せず）等で設定できるようにしてあってもよい。
【００５６】
（湯水混合ユニットの動作）
次に上記実施の形態２による湯水混合ユニット１の動作を説明する。図３は、この湯水混合ユニット１におけるコントローラ１１での制御フローを示したフローチャートである。
図３を参照して、運転スイッチ監視部１１７にて給湯リモコン７１の運転スイッチ「ＯＦＦ」が認識され、この運転スイッチ「ＯＦＦ」状態では、水量センサ３２または給湯リモコン７２からの水量情報によって混合水路２９内での通水が検出されると、混合器制御部１１２は、冷水よりも温かい一定温度の混合水となるように混合器３のソーラ温水混合弁２５と冷水混合弁２４とによる湯水の混合制御を行う（ステップＳ２０１〜Ｓ２０３）。これにより、給湯器７の蛇口８５等からは上記一定温度の湯が取り出される。
【００５７】
また、このステップＳ２０３による混合制御の間は、ステップＳ２０４において、運転スイッチ監視部１１７は、給湯リモコン７１の運転スイッチが「ＯＮ」されたか否か監視している。そして、上記運転スイッチ監視部１１７にて運転スイッチ「ＯＮ」が検出されると、ステップＳ２０５において、温水温監視部１１５は、ソーラ温水温センサ１９で検出するソーラ温水温度と給湯リモコン７１での給湯設定温度とを比較する。このとき温水温監視部１１５にてソーラ温水温度が給湯設定温度より高いと認識された場合は、ステップＳ２０６において、混合制御部１１２は混合水温度が給湯設定温度となるように混合器３のソーラ温水混合弁２５と冷水混合弁２４とによる湯水の混合制御をすると同時に、通信部１１１は給湯コントローラ７２に対して燃焼不要信号を送出して、給湯器７での燃焼動作を阻止する。これによって、給湯器７を燃焼動作させることなく給湯設定温度の湯が給湯器７の蛇口８５等から出湯される。
【００５８】
一方、運転スイッチ監視部１１７にて給湯リモコン７１の運転スイッチ「ＯＮ」が検出されたとき、あるいは、上記ステップＳ２０６による混合制御の間に温水温監視部１１５にてソーラ温水温度が給湯設定温度より低くなったことを検出した第１時点となると、入水量検出部１１６は、混合水路２９内を流れる入水量の積算を開始し（ステップＳ２０８）、この入水積算量が１リットルに達したか否かを監視する（ステップＳ２０９）。
【００５９】
そして、この入水積算量が１リットルに達する第２時点までは（ステップＳ２０９でＹＥＳとなったとき。）、ステップＳ２１０において、混合器制御部１１２は混合水温度が給湯設定温度から給湯器７での追い加熱よる上昇温度分を差引いた追い加熱用温度となるように混合器３のソーラ温水混合弁２５と冷水混合弁２４とによる湯水の混合制御を行うと同時に、通信部１１１は給湯コントローラ７１に対して燃焼不要信号を送出し、給湯器７での燃焼動作を阻止し続ける。従って、ソーラ温水温度が給湯設定温度より低い状況下、給湯リモコン７１の運転スイッチ「ＯＦＦ」時での一定温度による給湯使用中に運転スイッチが「ＯＮ」された第１時点（ステップＳ２０４でＹｅｓとなった時点）となり、この第１時点から上記入水量検出部１１６にて入水積算量が１リットル以上を検出する第２時点（ステップＳ２０９でＹｅｓとなった時点）までの間は、給湯器７で燃焼動作が開始されることがなく、この間に本湯水混合ユニット１と給湯器７との間の入水配管７６内に残っていた一定温度（上記ステップＳ２０３での混合制御にて得られた混合水温度）に近い混合水が給湯器７の蛇口８５等から取り出される。また、上記第１時点から上記第２時点までの間は、上記混合器制御部１１２による混合器３の混合制御によって給湯リモコン７１での給湯設定温度よりも低い追い加熱用温度の混合水が給湯器７側へ送り込まれるので（ステップＳ２１０）、熱い湯が出湯されることもなく安全性が確実に確保される。なお、上記ステップＳ２１０での混合制御の間に水量センサ３２等によって混合水路２９内の通水なしが検出されると（ステップＳ２１１）、この制御は終了する。
【００６０】
そして、上記ステップＳ２０９において入水量検出部１１６が上記入水積算量として１リットルに達した第２時点を検出すると、ステップＳ２１２において、混合器制御部１１２は混合水温度が上記追い加熱用温度となるように混合器３に対する混合制御を継続させると同時に、通信部１１１はこの第２時点の検出によってステップＳ２１０で給湯コントローラ７１に対して送出していた燃焼不要信号の送出を停止させる。この燃焼不要信号の送出を停止することによって給湯器７での燃焼動作が許容される。これによって、給湯器７は燃焼動作を開始して上記追い加熱用温度に湯水混合されていた混合水を加熱する。従って、このステップＳ２１２に制御が移行したとき、給湯器７は燃焼動作を開始して上記追い加熱用温度に混合調節されている混合水を加熱し、給湯設定温度の湯にして給湯器７の蛇口８５等から出湯される。
【００６１】
これ以降は、ステップＳ２１４において、上記温水温監視部１１５によってソーラ温水温度と給湯設定温度との高低が監視され、ソーラ温水温度が給湯設定温度より低い間は、上記ステップＳ２１２の制御が実行し続けられ、ソーラ温水温度が給湯設定温度より高くなると、制御が上記ステップＳ２０６へ移行される。そして、上記ステップＳ２１２での混合制御の間に水量センサ３２等によって混合水路内の通水なしが検出されると（ステップＳ２１３）、この制御は終了する。
【００６２】
以上のように、実施の形態２によると、給湯リモコン７１の運転スイッチ「ＯＦＦ」時（給湯器７が動作しない状態）でも、ソーラ温水を有効利用するため混合器で湯水混合を行って一定温度の混合水を給湯器７へ供給する湯水混合ユニット１においても、給湯リモコン７１の運転スイッチ「ＯＦＦ」時の一定温度による給湯使用中に上記運転スイッチが「ＯＮ」されたときでも、高温出湯となることもなく給湯設定温度どおりの湯が安定して取り出せ、安全かつ使い勝手のよいものが実現される。
【００６３】
＜実施の形態３＞
実施の形態３は、給湯リモコン７１の運転スイッチ「ＯＮ」にあって給湯器７が燃焼動作をしていた状態で運転スイッチ「ＯＦＦ」とされた後、再び運転スイッチが「ＯＮ」され給湯使用を再開した際でも、高温出湯されないようにしたものである。
この湯水混合ユニット１は、上記実施の形態１とほぼ同様に構成されるが、コントローラ１１には、運転スイッチ監視部１１７から情報を受け、給湯リモコン７１の運転スイッチ「ＯＦＦ」時から再び運転スイッチ「ＯＮ」され混合水路２９内での通水が検出された時までの時間を計時する計時監視部１１８を備える（図１参照）。
【００６４】
また、上記入水量検出部１１６によって上記第２時点を見極める入水積算量の一定量は、給湯器７の熱交換器７３回りの給湯用配管７００内に溜まる混合水の総量を目安とし、次の動作例では上記一定量として０．２５リットルとするが、これは、上記給湯用配管７００の長さや管径、熱交換器７３での熱効率等より適宜決定できる。
【００６５】
（湯水混合ユニットの動作）
次に上記実施の形態１による湯水混合ユニットの動作を説明する。図４は、この湯水混合ユニット１におけるコントローラ１１での制御フローを示したフローチャートである。
図４を参照して、運転スイッチ監視部１１７にて給湯リモコン７１の運転スイッチ「ＯＮ」が認識され水量センサ３２または給湯リモコン７２からの水量情報にて混合水路２９内での通水が検出されると（ステップＳ３０１、Ｓ３０２）、ステップＳ３０３において、温水温監視部１１５は、ソーラ温水温センサ１９で検出するソーラ温水温度と給湯リモコン７１での給湯設定温度とを比較する。このとき温水温監視部１１５にてソーラ温水温度が給湯設定温度より高いと認識された場合は、ステップＳ３０４において、混合制御部１１２は混合水温度が給湯設定温度となるように混合器３のソーラ温水混合弁２５と冷水混合弁２４とによる湯水の混合制御をすると同時に、通信部１１１は給湯コントローラ７１に対して燃焼不要信号を送出して、給湯器７での燃焼動作を阻止する。これによって、給湯器７を燃焼動作させることなく給湯設定温度の湯が給湯器７の蛇口８５等から出湯される。
【００６６】
一方、ステップＳ３０３において、上記温水温監視部１１５は、ソーラ温水温度が給湯設定温度より低かったと認識した場合は、ステップＳ３０６において、混合器制御部１１２は混合水温度が給湯設定温度から給湯器７での追い加熱よる上昇温度分を差引いた追い加熱用温度となるように混合器３のソーラ温水混合弁２５と冷水混合弁２４とによる湯水の混合制御を行うと同時に、通信部１１１は給湯コントローラ７１に対して燃焼不要信号を送出せずに給湯器７での燃焼動作を許容する。これによって、給湯器７は燃焼動作を開始して上記追い加熱用温度に混合調節されている混合水を加熱し、給湯設定温度の湯として給湯器７の蛇口８５等から出湯されるようにする。
【００６７】
そして、このステップＳ３０６での混合制御の間は、ステップＳ３０７において、水量センサ３２等にて混合水路２９内の通水の有無が監視され、通水なしを検出すると、ステップＳ３０８において、運転スイッチ監視部１１７は、給湯リモコン７１の運転スイッチが「ＯＦＦ」されたか否か監視される。上記ステップＳ３０８において、運転スイッチ監視部１１７にて給湯リモコン７１の運転スイッチ「ＯＦＦ」が検出されると、ステップＳ３０９において、計時監視部１１８は、この運転スイッチ「ＯＦＦ」時点から計時を開始する。そして、この運転スイッチ「ＯＦＦ」後に、上記運転スイッチ監視部１１７によって再度の運転スイッチ「ＯＮ」が検出され（ステップＳ３１０）、水量センサ３２等によって混合水路２９内の通水が検出された第１時点となると（ステップＳ３１１）、上記計時監視部１１８は、上記ステップＳ３０８での運転スイッチ「ＯＦＦ」時点からこの第１時点までの当該計時監視部１１８における計測時間が一定時間以内であるか否かを確かめる。このときの計時監視部での計測時間が一定時間以内であった場合は、入水量検出部１１６は、混合水路内を流れる入水量の積算を開始し（ステップＳ３１３）、この入水積算量が０．２５リットルに達したか否か監視する（ステップＳ３１４）。
【００６８】
ここで計時監視部１１８での一定時間とは、給湯器７が燃焼動作停止し熱交換器７３回りの給湯用配管７００内に残っていた混合水が残熱状態の熱交換器７３によって後沸きされたが、この残留の混合水が再度の給湯器７の燃焼動作によって加熱されても熱い湯とならないくらい自然に冷まされるまでの時間を目安とし、この実施の形態３では、例えば、３０分間とするが、給湯用配管７００の長さや大きさ、熱交換器７３の熱容量等から適宜決定される。
【００６９】
そして、上記入水量検出部１１６での入水積算量が０．２５リットル以上となる第２時点までは（ステップＳ３１４でＹＥＳとなったとき。）、ステップＳ３１５において、混合器制御部１１２は混合水温度が給湯設定温度から給湯器７での追い加熱よる上昇温度分を差引いた追い加熱用温度となるように混合器３のソーラ温水混合弁２５と冷水混合弁２４とによる湯水の混合制御を行うと同時に、通信部１１１は給湯コントローラ７２に対して燃焼不要信号を送出し、給湯器７での燃焼動作を阻止する。従って、給湯リモコン７１の運転スイッチ「ＯＮ」にあって給湯器７が燃焼動作をしていた状態で運転スイッチ「ＯＦＦ」とされた後、一定時間以内に再び運転スイッチが「ＯＮ」され出湯された第１時点（ステップＳ３１１でＹｅｓとなった時点）となり、この第１時点から上記入水量検出部１１６にて入水積算量が  ０．２５リットル以上を検出する第２時点（ステップＳ３１４でＹｅｓとなった時点）までの間は、給湯器７で燃焼動作が開始されることがなく、この間に給湯器７の熱交換器７３回りにおける給湯用配管７００内に残って後沸きされていた混合水が給湯器７の蛇口８５等から取り出される。
【００７０】
また、上記第１時点から上記第２時点までの間は、上記混合器制御部１１２による混合器３の混合制御によって給湯リモコン７１での給湯設定温度よりも低い追い加熱用温度の混合水が給湯器７側へ送り込まれる（ステップＳ３１５）。なお、この間に水量センサ３２等によって混合水路２９内の通水なしが検出されると（ステップＳ３１６）、この制御は終了する。
【００７１】
そして、上記ステップＳ３１４において入水量検出部１１６が上記入水積算量として０．２５リットルに達した第２時点を検出すると、ステップＳ３１７において、混合器制御部１１２は混合水温度が上記追い加熱用温度となるように混合器３による混合制御を継続させると同時に、通信部１１１はこの第２時点の検出によってステップＳ３１５で給湯コントローラ７１に対して送出していた燃焼不要信号の送出を停止させる。この燃焼不要信号の送出を停止することによって給湯器７での燃焼動作が許容される。これによって、上記ステップＳ３１７に制御が移行したとき、給湯器７は燃焼動作を開始して上記追い加熱用温度に湯水混合されていた混合水を加熱し、給湯設定温度の湯にして給湯器７の蛇口８５等から出湯される。
【００７２】
これ以降は、ステップＳ３１９において、温水温監視部１１５は、ソーラ温水温度と給湯設定温度との高低が監視され、ソーラ温水温度が給湯設定温度より低い間は、上記ステップＳ３１７の制御が実行し続けられ、この間にソーラ温水温度が給湯設定温度より高くなると、制御が上記ステップＳ３０４へ移行される。そして、この間に水量センサ３２等によって混合水路２９内の通水なしが検出されると（ステップＳ３１８）、この制御は終了する。
以上のように、実施の形態３によると、給湯リモコン７１の運転スイッチ「ＯＮ」にあって給湯器７が燃焼動作をしていた状態で運転スイッチ「ＯＦＦ」とされた後、一定時間以内に再び運転スイッチが「ＯＮ」されたときでも、後沸きの混合水が追い加熱されて高温出湯となることもなく給湯設定温度どおりの湯が安定して取り出せ、安全かつ使い勝手のよいものが実現される。
【００７３】
＜変形例＞
なお、本発明は、上記各実施の形態１〜３のみには限定されない。例えば、実施の形態３において、ソーラ温水温度が給湯設定温度より低い状況下、給湯リモコン７１の運転スイッチ「ＯＮ」状態にあって給湯器７が燃焼動作する給湯使用中に蛇口８５のカラン等を閉じて給湯停止させ、この停止後の間もないうちに再びカラン等を開けて給湯使用する場合に適用してもよい。具体的には、図４のフローチャートにおいて、ステップＳ３０８およびＳ３１０の動作フローを省いた制御とすればよい。
【００７４】
また、図１に示した湯水混合ユニットの構成例では、バイパス開閉弁３１を具備したバイパス通路２８を設けたものとしたが、このようなバイパス通路２８を有さず、且つ、ソーラ温水路１４においてソーラ温水温センサ１９より上流位置に混合水路２９での通水が検知されない限り閉弁し、通水が検知されると開弁する常閉式の開閉弁（電磁弁等）を備えたものとしてもよい。
【００７５】
また、図１に示した例では、混合器３として冷水混合弁２４とソーラ温水混合弁２５とを持つ２軸式とするが、単一の弁体を回動させて角度調節することによりソーラ温水路１４からのソーラ温水と冷水路１５からの冷水の混合割合を調整する１軸式のものでもよい。
【００７６】
また、上記実施の形態１〜３では、上記温水供給器として太陽熱温水器５を用いるが、これに限らず、例えば廃熱利用の温水器等その他種々の温水供給器であってもよい。
【図面の簡単な説明】
【図１】実施の形態１による湯水混合ユニットを用いた給湯システムの全体構成を示す構成図である。
【図２】実施の形態１の湯水混合ユニットにおける動作フローを示すフローチャートである。
【図３】実施の形態２の湯水混合ユニットにおける動作フローを示すフローチャートである。
【図４】実施の形態３の湯水混合ユニットにおける動作フローを示すフローチャートである。
【図５】従来のソーラ給湯システムの全体構成を示す構成図である。
【符号の説明】
１  湯水混合ユニット
２  通水回路
３  混合器
５  太陽熱温水器
７  給湯器
１０  給水配管
１１  コントローラ
１４  ソーラ温水路
１５  冷水路
１９  ソーラ温水温センサ
２３  冷水温センサ
２４  冷水混合弁
２５  ソーラ温水混合弁
２８  バイパス通路
２９  混合水路
３１  バイパス開閉弁
３２  水量センサ
３３  混合水温センサ
３４  ハイカットサーミスタ
５６  ソーラ温水配管
７１  リモコン
７２  給湯コントローラ
７６  入水配管
７７，７８  通信線
１１１  通信部
１１２  混合器制御部
１１３  バイパス開閉弁制御部
１１４  追い加熱用温度演算部
１１５  温水温監視部
１１６  入水量検出部
１１７  運転スイッチ監視部
１１８  計時監視部
７００  給湯用配管
８００  風呂用配管
【図１】
0003699393.tif 000002
【図２】
0003699393.tif 000003
【図３】
0003699393.tif 000004
【図４】
0003699393.tif 000005
【図５】
0003699393.tif 000006